(57)【要約】【課題】海岸沿岸、埋め立て地又は河川流域に於ける高深度軟弱地盤の改良に際し施工的に対応出来る機種が少なく、尚安定性に欠くものが多く課題であった又対象地盤の形成状況、強度等から改良方法にも課題があった。【解決手段】解決手段として高深度の改良に際し、高い場所に大きい重量の攪拌機、振動機等を使用しない重心を出来るだけ下げた構造とする手段で、タワーポストのみで高深度の施工を出来る手段とした、改良方法には切削方法と切削回転羽根間の改良対象土は少量の水に高圧を加え、流動化させつつ固化剤を混合する手段にて排泥を最小にし経済的な工法とした。【選択図】図１
2014084703.tif 000002
【特許請求の範囲】
【請求項１】
護岸背面固化改良又は河川堤防心壁形成等の工事に当たり、地表面から深い地層を改良する場合、施工機械に制限され施工ができない場合が多く又深度が増すにつれ粘着力の増加が多少あり又互層成層状態の場合が多く存在する傾向がみられる、地表からの回転方式による攪拌改良では攪拌混合に課題があった、これらの課題を解決する方法として、施工的に在来迄での既製の三点式打込機械の打込可能高さよりも深く打込可能なタワーポスト方式にて高深度の施工を安全にすることと同時に切削回転羽根と高圧ジェットの組合せ方式により不均一攪拌の課題を解決することの出来る機械装置である。その機械装置はタワーポストと、土中に挿入する掘削先端装置部に区分される、
【請求項２】
土中に挿入する切削先端部は油圧モーターと減速装置にて切削回転羽根に回転を伝達する装置を備えた構造で外側は矩形の箱型形状として密閉してモーター及びギアー等を保護し、箱型先端部は刃先形状としてジェットパイプを４隅と中間に複数本取り付け、中間部ジェットパイプは下部方向と水平および斜め方向にジェット水と固化剤混入ミルクの噴出出来るジェット口を設けた構造
油圧モーターを動力源とし、その回転を減速し軸に取り付けたギアーを通じ、チェーンでその伝導を一定間隔離れた他軸ギアーに回転を伝達し切削回転攪拌を行う機械装置で、他軸ギアー両側には切削回転羽根を取り付けた構造とし、他軸ギアーは両側を鉄板で固定して、切削回転羽根の中間には複数の高圧ジェットパイプを取り付けた構造、
【請求項３】
ジェットパイプは切削用６本、垂直下方向ジェット水噴出用とし、切削回転羽根と切削回転羽根の中間には水平及び斜めの多段式噴出の出来るパイプを取り付けた方式とし、ジェット水と固化剤混入ミルクの噴出がプラントのバルブ操作により、交互に噴出が出来る構造、多段式噴出のパイプには複数の３ｍｍ以下のジェット孔を設け、ジェット水の噴出にて切削回転攪拌羽根間の土を粒状化させ、所定深度まで掘削先端装置部を挿入した後地上に設置してある。プラントのバルブ切り替えにて、固化剤混入ミルクを土中に噴出させる事により、固化材の均等混合を早期に出来る機械構造装置
【請求項４】
ジェット水の圧力は土性により変化出来るバルブ装置として、その圧力は１０〜４００ｋｇ／ｃｍ２の範囲とし、切削時の水量は１００リットル／毎分以下に調整できる自動装置構造、土中に挿入する掘削先端装置部を引き上げる時は、固化剤混入ミルクは所定の配合とし、噴出量は引き揚げ速度１ｍ／分としてバルブ調整をすることの出来る装置
【請求項５】
固化剤の噴出は高圧ジェットパイプから噴出させるが、土性による配合施工深度、等による各条件からプラントによる管理配合機械装置とした構造
【請求項６】
土中に挿入する掘削先端装置部は切削先端部の上部にタワーポストを取り付けた構造とし、円形の単一長のフランジボルトジョイントで３５ｍ迄のタワーポストとする、タワーポストの断面は５００ｍｍで断面の外周両側には刃型のギアー溝を先端切削部からタワーポスト上部まで取り付けた構造でタワーポスト背面にはジェトパイプと油圧パイプを取り付けた構造
【請求項７】
タワーポスト部の上下移動はベースマシン機械台の上部に取り付けた回転刃型盤の上、下方向の回転により挿入、引き揚げの可能な装置とし、回転盤には刃型のギアーが円周に設けられ、  この刃型の回転により、タワーポストが上、下方向に挿入、引き揚げが出来る様にした機械装置
【請求項８】
タワーポストは三点式クローラークレーンにて支持移動を行う構造でクローラークレーンブームの最上部支点はタワーポスト高さの２／３とした構造で、３５ｍの深度迄施工可能な構造で、タワーポスト上部にはジェット高圧ホース用トップシーブを取付け、高圧ホースの上下が自在に出来るようにベースマシンに取付けた巻き取り装置にてタワーポストの上下に耐応出来る構造装置、又タワーポスト下部には付着泥土除去用ゴム板パッキンをタワーポスト周辺前後に半月状に２枚設置し、ギア部にはタワーポスト両側に霧状噴霧ハイウオシャーを取り付け洗浄する装置構造
【発明の詳細な説明】
【技術分野】
【０００１】軟弱地盤改良に当たり互層地盤又は強度のやや大きい粘性土になると平面回転方式の攪拌混合の場合攪拌混合に技術的に課題が見られ、また深い施工が機械の安全等から制限されてきた、本発明は在来ある機械にて安全に、課題を解決する目的で開発した。
【背景技術】
【０００２】深層攪拌工には多段式羽根及びジェット式又はその併用工法があるが深度的に２０ｍ前後が大略を占め、対象地盤の土性により直面する課題が多く多種工法が考案されている。
【発明の開示】
【発明が解決しようとする課題】
【０００３】対象地盤である緩い砂質地盤、砂質シルト、シルト混じり粘土等の又は互層地盤の場合で粘性がやや強いが圧密が生じ易く又は滑り易い地盤が多く、深度も深い場合が我が国の沿岸には多く見られる、これらを対象とした対策として施工上背の高い機械を入れて転倒した例が多い、土性的には攪拌羽根の間隔、傾斜、長短等を変化させても課題の残る場合が多く、高圧ジェット方式の場合は産業廃棄物あつかいによる不経済面が課題である。
【課題を解決するための手段】
【０００４】施工機械の安全を考えて従来あるクローラークレーンにタワーポストを接続し在来迄のように攪拌機、振動機等の大きい過重を取り除き重心を下げた構造とし高深度迄施工可能にした。土性的課題に対しては、矩形箱形内にて切削回転羽根を両側に装備し、回転と４隅と中間に設けた高圧ジェット水噴射により、改良対象土を粒状化させながらジェット水の飛散を防止し、又少量のジェット水の調整により、排泥を少なく調節する手段にて経済的に安全に課題を解決できる工法及び機械装置である。
【発明の実施形態】
【０００５】改良対象土表面から掘削先端装置部により切削し、タワーポストを所定位置迄挿入し、切削回転羽根間の改良対象土をより早く細粒化するための手段として高圧ジェット水による少量の水で切削回転羽根と羽根間の土を流動化させたのち固化剤の噴出混合により固化安定を計る形態
【発明の効果】
【０００６】高深度の施工であるが施工機械の安定が確保出来、垂直性が保たれ施工速度も一定化し又固化攪拌混合も均一化出来る管理配合機械装置で試料採取試験結果、全試料均一性が全層確認できた。
【図面の簡単な説明】
【０００７】高深度固化攪拌工法及び機械装置図
【図１】タワーポストび土中挿入先端掘削部詳細図
【符号の説明】
【０００８】  １．タワーポスト、ポスト両側に刃型を取付けた構造
２．切削回転羽根
３．高圧ジェットパイプ（切削時と固化剤噴出兼用パイプ）
４．土中挿入する掘削先端装置部、（回転刃型盤詳細）
５．タワーポスト挿入油圧モーター
６．土中挿入装置内部油圧モーター
７．チェーン（土中挿入する掘削先端装置部内部油圧モーター回転伝達用２レーン）
８．ギアー（土中挿入する掘削先端装置内部の回転伝達刃型形状部品で４か所）
９．タワーポスト地中挿入円形装置（両側）２面
１０．タワーポスト両側刃型
１１．油圧管
１２．土中挿入する掘削先端装置部外枠
１３．タワーポスト地中挿入引き揚げ円形装置回転ギアー
【図１】
2014084703.tif 000003